(57)【要約】【課題】本願発明は、屋上庭園で育成する植物の根元を直射日光から保護することで、植物の焼き枯れを防止し、また屋上庭園内に立ち入り世話を可能とするプランターとそれを用いた屋上緑化の手段を提供することにある。【解決手段】植物育成用のプランターにおいて、当該プランターに植物が生長していく孔部を有する蓋部を容器状に設け、当該蓋部と容器状内部に充填する粒体でもって内部の土壌を乾燥および熱気から保護する植物育成用のプランターである。植物が育成する部分以外のプランター部を蓋することで無駄な水分の蒸発を抑える。【選択図】図1
2005269998.tif 000002
【特許請求の範囲】
【請求項１】
植物育成用のプランターにおいて、当該植物育成用のプランターに植物が生長していく育成孔部を有する蓋部を設け、当該蓋部でもって内部の土壌を乾燥および熱気から保護することを特徴とする植物育成用のプランター。
【請求項２】
請求項１記載の植物育成用のプランターにおいて、容器状蓋部を複数の区画に仕切り、前記区画内に降水した雨水を育成孔部から受け入れることを特徴とする植物育成用のプランター。
【請求項３】
請求項1ないし２記載の植物育成用のプランターにおいて、育成孔部から下部プランターに向かって垂下する脚部を設け、当該脚部の長さを変えたことを特徴とする植物育成用のプランター。
【請求項４】
請求項1ないし３記載の植物育成用プランターにおいて、育成孔部の周囲にスリットを設け植物の生長とともに前記育成孔部が拡大するようにしたことを特徴とする植物育成用のプランター。
【請求項５】
請求項１ないし４記載の植物育成用のプランターにおいて、蓋部上に踏み圧部である突部を設けたことを特徴とする植物育成用のプランター。
【請求項６】
請求項１ないし５記載の植物育成用のプランターにおいて、その蓋部を容器状とし粒体を充填もしくは土壌と粒体を充填したことを特徴とする植物育成用のプランター。
【請求項７】
請求項1ないし６記載の植物育成用のプランターを屋上に敷き設したことを特徴とする屋上庭園。
【請求項８】
請求項1ないし５記載の植物育成用のプランターを壁面上に敷き設したことを特徴とする壁面緑化。
【発明の詳細な説明】
【技術分野】
【０００１】
本発明は、植物育成用のプランターおよびそれを用いた屋上緑化の技術に属する。
【背景技術】
【０００２】
従来、屋上緑化の実施において、屋上は壁などの側面に比べ数倍の日射量を受ける。そのため建築物の屋上やベランダ、テラスなどでは、土壌中の水分の蒸発が進み乾燥状態に陥り、植物が焼き枯れを起こしやすい環境となっている。同時に屋上の積載荷重の制限などあり、例えば特開2003-102265に開示されるように多孔質セラミックスを軽量土壌として用い屋上の負荷を軽減しあるいは乾燥に強いセダムなどの植物をもちいて屋上緑化が試みられてきている。
【０００３】
【特許文献１】特開2003-102265
【発明の開示】
【発明が解決しようとする課題】
【０００４】
本願発明は、屋上庭園で育成する植物の根元を直射日光から保護することで、植物の焼き枯れを防止し、また屋上庭園内に立ち入り世話を可能とするプランターとそれを用いた屋上緑化の手段を提供することにある。
【課題を解決するための手段】
【０００５】
本第１の発明は、植物育成用のプランターにおいて、当該植物育成用のプランターに植物が生長していく育成孔部を有する蓋部を設け、当該蓋部でもって内部の土壌を乾燥および熱気から保護する植物育成用のプランターである。植物が育成する部分以外のプランター部を蓋することで無駄な水分の蒸発を抑える。
本第2の発明は、上記記載の植物育成用のプランターにおいて、容器状蓋部を複数の区画に仕切り、前記区画内に降水した雨水を育成孔部から受け入れる植物育成用のプランターである。蓋部を区画壁で仕切ることで各区画内に降った雨水を育成孔部から受け入れるため、均一に水分が行き渡る。
本第3の発明は、上記発明の第1ないし第２の発明に記載の植物育成用のプランターにおいて、育成孔部から下部プランターに向かって垂下する脚部を設け、当該脚部の長さを変えた植物育成用のプランターである。脚部の長さを変えたため、プランター内の含水量の異なる部分に対応した植物を育てることができる。
本第4の発明は、上記発明1ないし第３の発明に記載の植物育成用プランターにおいて、植物が生長していく孔部の周囲にスリットを設け植物の生長とともに前記育成孔部が拡大するようにした植物育成用のプランターである。
本第5の発明は、本第1の発明１ないし第４の発明に記載の植物育成用のプランターにおいて、蓋部上に踏み圧部である突部を設けた植物育成用のプランターである。人の荷重を支える踏み圧部を設けたことで植物の世話をするために人の立ち入りが可能となる。
本第6の発明は、上記第1ないし第５の発明に記載の植物育成用のプランターにおいて、その蓋部を容器状とし粒体を充填もしくは土壌と粒体を充填した植物育成用のプランターである。蓋部を容器状とし粒体を充填し、粒体と蓋部でもって直射日光を防ぎプランター内部を乾燥と熱気から保護している。
本第7の発明は、本第1の発明ないし第6の発明に記載の植物育成用のプランターを屋上に敷き設した屋上庭園である。
本第8の発明は、本第1の発明ないし第５の発明に記載の植物育成用のプランターを壁面上に敷き設した壁面緑化である。中の土壌がこぼれないように蓋部を設けている。
【発明の効果】
【０００６】
植物育成用のプランターに蓋部を設けたため、水分の蒸発面積が小さくなり、土壌の乾燥を防ぐことができる。
蓋部上を区画し、区画内の降雨を育成孔部に導きいれられるのでプランター内の土壌中の水分分布が均一になる。
育成孔部から垂下する脚部の長さが異なるように設定してあるので、各育成孔部で脚部下端部の水分の含有量が異なる。その水分に応じた植物を育てるため水分の利用が効率的となる。
蓋部上に踏み圧部を設けたため植物育成用のプランター上に立ち入り植物の世話ができる。
蓋部を容器状とすることで蓋部に粒体を敷き、植物が粒体を通過して成長する。そのため、粒体により植物の根元が直射日光から遮断されるため焼き枯れが防止できるとともに、土壌の乾燥を防ぐ効果が増加する。
蓋部を取り外し可能にしておけば、植物の成長を確認したのち、蓋部を被せることができ、緑化の予測が可能となるとともに施工も簡単となる。
【発明を実施するための最良の形態】
【０００７】
以下本第1の発明を、図を用いて、より詳細に説明する。
図１は、植物育成用のプランターの概念をその断面図で示している。図1に示すように植物育成用のプランターには育成孔部を有する蓋部が設けられている。植物は土壌を充填したプランター部内から蓋に設けた育成孔部を通過して成長する。植物がその育成孔部を介して下方の土壌層にその根を伸ばすことができるようになっている。プランター部に植物が成長していくために必要な育成孔部を有する蓋部を設けため、土壌からの水分の蒸発が抑えられ、屋上のような乾燥しがちな場所での使用に耐えられるようになっている。
【０００８】
図２は、本第２の発明である植物育成用のプランターの概念をその平面図と断面図で示している。図に示すように第1の発明に示す蓋部の上に育成孔部を囲むように区画壁が設けられている。こうすることで、区画壁で区画された範囲内の降雨が育成孔部に流入する。そのため蓋部上の降雨はほぼ均一に下の土壌部に流入する。
【０００９】
図３は、本第３の発明である植物育成用のプランターの概念をその断面図で示している。図３ａに示すように、蓋部に設けた育成孔部にプランター内に伸びる脚部を設けたもので、その脚部の長さを変えたものを示している。プランター内の水分分布時は下にいくほど高いので、育成孔部に育成する植物は脚部の深さに応じた水分を利用することになる。図３ｂに示すように、水分の要求量の異なる植物を一つの場所に育てることができるため屋上緑化に使用する植物の種類が増え、植物の選択肢が増えるため水分の有効利用と変化に富む屋上庭園の景観が実現できる。
【００１０】
図４は、本第4の発明である植物育成用プランターの育成孔部の周囲にスリットを設けた育成孔部の例を示している。図４aに示すように育成孔部の周囲にスリットが設けられている。そのため、図４bに示すように、植物の成長につれて育成孔部が拡大するようになっている。このように構成することで、植物が小さいうちは蓋部に設けた育成孔部も小さく、本プランターからの水分の蒸発も小さくなる。必要以上の水分の蒸発を防ぐことができる。
【００１１】
図５は、本第５の発明である植物育成用プランターの概念をその断面図で示してある。図に示すように、蓋部の上部に踏み圧部が設けられている。踏み圧部は人が植物育成用のプランターの上に立ち入りした時に、育成している植物に直接その踏み圧がかからないようにするためである。特に屋上庭園などによく使用されるセダム類は多肉食のため人の踏み圧がかかると潰れてしまうため人の立ち入りが困難であった。
図では、蓋部の上部に踏み圧部が設けられているが、蓋部が平板状である必要はなく図７に示すような蓋部を容器状にしてその底部に設けられていても何らさしつかえがない。図では、踏み圧部はプランター部の土壌でのみ支持されるように構成されているが、図７に示すように、プランター底部から立ち上がる突部と対応した位置に設けることもできる。
【００１２】
図６は蓋部を容器状とした植物育成用プランターの概念をその断面図で示している。その容器状の内部に直射日光を遮るため、あるいは内部に含まれる水分の揮発によって温度を下げるための粒体を充填できるようになっている。この場合、蓋部の容器部には粒体以外に土壌が一緒にあるいは層を分けて充填されてもよい。
【００１３】
図８、図９は本発明による植物育成用のプランターに植物が育成している状態を示す図である。図８では蓋部に設けた育成孔部から植物が生育している。図９では容器状の蓋部の育成孔部から生育するのは同じであるが、容器状の蓋部に粒体を充填しているため粒体を通過して生育する。
【００１４】
本発明の植物育成用のプランターを、図１０に示すように前後左右に配設して、屋上庭園とすれば、上記説明したように立ち入りしてセダム類の世話が可能となる。
蓋部を設けることでプランター部の水分の揮発面積が減る。さらに、蓋部を容器にした場合には、蓋部上が充填した粒体に覆われるため、植物の根元が直射日光に晒されることがなく、乾燥が抑制され焼き枯れが防止できる。また、下層のプランター部内の土壌も直射日光から遮られるため温度上昇と乾燥が防止できる。
【００１５】
蓋部を有する植物育成用のプランターは、植物が十分生長すると育成孔部は殆んど露出部分がなくなるため、図１１に示すように、垂直あるいはそれに近い角度に懸架しても内部の土壌がこぼれることがないため壁面緑化に使用可能となる。適宜壁面に取り付けるためのボルト孔あるいは懸架するための器具を既存の方法から選択することができる。
必要に応じて、蓋部に育成孔部とは別に、中の土壌がこぼれでない程度で雨水が浸透する程度の透孔を適宜設けておくこともできる。
【００１６】
土壌は特に制限はなく、軽量土壌を含め一般の畑土でよい。育成する植物に適した土壌を選択すればよい。その上の蓋部に設けた容器状部には植物に害を与えない粒体であれば直射日光を遮る目的で充填できる。一般的には多孔質の粒体が好ましく、その細孔内に水分を保ち、直射日光を浴びて中の水分を揮発させ気化熱で温度が下げうるものが好ましい。
本発明である植物育成用のプランターは、蓋部とプランター部が一体化されていてもさしつかえないが、蓋部とプランター部に分離可能とされるのが好ましい。
また、必要に応じて蓋部とプランター部を通過する水抜き穴を設けることができる。
【００１７】
植物育成用のプランターでセダム、コケなどの屋上庭園用に一般的に使用される植物あるいは通常の草花を播種あるいは苗を育て、蓋部を被せる。育てる植物の性質に合わせ、一定の生育状態に達した時点で粒体を蓋部に設けた容器に充填あるいは最初から充填する。
粒体は砂利状のもので、一般に使用されるパーライトやゼオライト、モンモリオナイト、珪藻土などまた内部に多孔質を形成したセラミックスやガラス発泡などの軽量骨材が好ましい。
【００１８】
植物育成用のプランターは屋上、テラスあるいは壁面などの所定の位置に配列し、屋上庭園あるいは壁面緑化を形成する。必要に応じて植物育成用のプランターを継ぎ手などを用いて互に接続することもできる。
本発明になる屋上庭園は、必要に応じて遮水した建築物の屋上、テラスなどに設置し、必要に応じて排水系、雨水の循環系の機器を付帯することができる。
【図面の簡単な説明】
【００１９】
【図１】は、本発明の植物育成用のプランターの第1の例を示す概念図である。
【図２】は、本発明の植物育成用のプランターの第２の例を示す概念図である。
【図３】は、本発明の植物育成用のプランターの第３の例を示す概念図である。
【図４】は、本発明の植物育成用のプランターの第４の例で育成孔部の例を示す概念図である。
【図５】は、本発明の植物育成用のプランターの第５の例を示す概念図である。
【図６】は、本発明の植物育成用のプランターの第６の例を示す概念図である。
【図７】は、本発明の植物育成用のプランターの第７の例を示す概念図である。
【図８】は、本発明の植物育成用のプランターに植物が生育する状態の第１の例を示す概念図である。
【図９】は、本発明の植物育成用のプランターに植物が生育する状態の第２の例を示す概念図である。
【図１０】は、本発明の植物育成用のプランターを屋上庭園に適用した例を示す概念図である。
【図１１】は、本発明の植物育成用のプランターを壁面緑化に適用した例を示す概念図である。
【符号の説明】
【００２０】
１  植物育成用のプランター
２  蓋部
３  プランター部
４  育成孔部
５  区画壁
６  脚部
７  踏み圧部
８  粒体
９  水抜き穴
１０  植物
【図１】
2005269998.tif 000003
【図２】
2005269998.tif 000004
【図３】
2005269998.tif 000005
【図４】
2005269998.tif 000006
【図５】
2005269998.tif 000007
【図６】
2005269998.tif 000008
【図７】
2005269998.tif 000009
【図８】
2005269998.tif 000010
【図９】
2005269998.tif 000011
【図１０】
2005269998.tif 000012
【図１１】
2005269998.tif 000013